(57)【要約】【課題】自身のＡＣ電源が投入されていなくても、メモリ内のプログラムを外部から書き換える通信装置を提供する。【解決手段】フラッシュＲＯＭ２の記憶内容を書き換えるために、外部よりのデータ線１２のコネクタ１０ａをＵＳＢ８に接続すると、装置の電源６が投入されていない場合は、コネクタ１０ａの接続に応答して、切り替えスイッチ１１が切り替え端子ａ側に投入され、外部の電源供給ライン１０よりＵＳＢ８、切り替えスイッチ１１、電源供給ライン１３を経て、電源電圧がＣＰＵ１、フラッシュＲＯＭ２、ＲＡＭ３にのみ供給される。【選択図】　　　図１
2004038725.tif 000002
【特許請求の範囲】
【請求項１】
装置制御用プログラムを記憶する書き換え可能なメモリと、このメモリが記憶するプログラムにより装置を制御する制御部と、外部よりデータ及び電源を供給するための外部装置接続部と、記録部と、前記外部装置接続部が接続時には、前記記録部への外部装置からの電源供給を切断する切断部とを備えたことを特徴とする通信装置。
【請求項２】
前記切断部は、外部装置接続部が非接続時に内部電源からの電源供給を可能とし、内部電源断時で外部装置接続部の接続で、外部装置からの電源供給に切り替える切り替え部であることを特徴とする請求項１記載の通信装置。
【請求項３】
前記切り替え部は、前記外部装置接続部を挿入することに応答して切り替えを行うことを特徴とする請求項１記載の通信装置。
【発明の詳細な説明】
この発明は、ファクシミリ装置、複写機能・ファックス機能等の多機能を有する複合機などの通信装置に関する。
【０００１】
【従来の技術】
ファクシミリ装置などの通信装置は、ＲＯＭに記憶される制御プログラムにしたがい、装置の制御動作を実行する。この種の制御プログラムを記憶するＲＯＭは、近年フラッシュメモリで構成されることが多く、例えば遠隔のサービスセンタから顧客の装置を、電話回線を経由して書き換えることが可能となっている。
【０００２】
【発明が解決しようとする課題】
上記のように、従来の通信装置において、外部から電話回線を介して制御プログラムを書き換えることができるが、しかし通信装置に電源が投入されていない場合は、書き換えることができない、という問題があった。また、電源が投入されていない書き換え用の装置として、ノート型パソコン等を用いて、外部より通信装置に電源電圧を供給することもできるが、通信装置のプリンタ、スキャナ等にも電源電圧が供給されるので、書き換えに十分な時間、供給できないというおそれがあった。
【０００３】
この発明は上記問題点に着目してなされたものであって、自身のＡＣ電源が投入されていなくても、メモリ内のプログラムを外部から書き換え得る通信装置を提供することを目的としている。
【０００４】
【課題を解決するための手段】
この発明の通信装置は、装置制御用プログラムを記憶する書き換え可能なメモリと、このメモリが記憶するプログラムにより装置を制御する制御部と、外部よりデータ及び電源を供給するための外部装置接続部と、記録部と、前記外部装置接続部が接続時には、前記記録部への外部装置からの電源供給を切断する切断部とを備えている。
【０００５】
前記切断部は、外部装置接続部が非接続時に内部電源からの電源供給を可能とし、内部電源断時で外部装置接続部の接続で、外部装置からの電源供給に切り替える切り替え部とすることができる。
【０００６】
また、前記切り替え部は、前記外部装置接続部を挿入することに応答して切り替えを行うようにしても良い。
【０００７】
【発明の実施の形態】
以下、実施の形態により、この発明をさらに詳細に説明する。図１は、この発明の一実施形態であるファクシミリ装置の要部を示すブロック図である。
【０００８】
この実施形態ファクシミリ装置は、ＣＰＵ１と、フラッシュ（Ｆｌａｓｈ）ＲＯＭ２と、ＲＡＭ３と、スキャナ４と、プリンタ５と、電源部６と、バス７と、ＵＳＢ８と、切替スイッチ１１を備えている。
【０００９】
ＣＰＵ１は、フラッシュＲＯＭ２に記憶されるプログラムに基づき、装置全体の処理動作を制御する。フラッシュＲＯＭ２は、制御用のプログラムを書き換え可能に記憶できる。ＲＡＭ３は、処理すべきデータを一時的に記憶する。
【００１０】
スキャナ４は、例えばＣＣＤスキャナを使用し、例えばファックス送信し、あるいはコピーするための原稿を読み取る。プリンタ５は、スキャナ４で読み取られた原稿画像データ、あるいはファックス送信されて来た画像データをプリントする。
【００１１】
電源部６は、装置のＡＣ電源をＤＣ電源に変換し、電源供給ライン９より、回路各部に電源電圧を供給する。ＵＳＢ８は、この実施形態ファクシミリ装置を外部に接続するためのポートであり、外部よりデータ線１２により、データを供給する他、電源供給ライン１０により、電源電圧を実施形態ファクシミリ装置に供給する。
【００１２】
切り替えスイッチ１１は、共通端子ｃがＣＰＵ１、フラッシュメモリ２、ＲＡＭ３への電源供給ライン１３に接続されている。切り替えスイッチ１１の切り替え端子ａは、ＵＳＢ８の電源供給ライン１０に接続されている。また、切り替えスイッチ１１の切り替え端子ｂは、電源部６の電源供給ライン９に接続されている。この切り替えスイッチ１１は、電源部６の電源が投入されていない状態でコネクタ１０ａがＵＳＢ８に挿入されると、切り替え端子ａ側に接続される。しかし、電源部６の電源が投入されている状態で、ＵＳＢ８にコネクタ１０ａが挿入されても、切り替え端子ｂの接続が優先され、切り替えられないようになっている。
【００１３】
また、スキャナ４、プリンタ５には、切り替えスイッチ１１を経由することなく、電源部６の電源供給ライン９より、直接電源が供給されるようになっている。
【００１４】
この実施形態ファクシミリ装置において、電源部６のＡＣ電源が投入されている通常時は、電源部６から電源供給ライン９により、スキャナ４、プリンタ５に電源電圧が供給される。また、この状態では、切り替えスイッチ１１が切り替え端子ｂ側に投入されており、電源供給ライン９よりの電源電圧は、切り替えスイッチ１１を経て、ＣＰＵ１、フラッシュＲＯＭ２、ＲＡＭ３にも供給されている。つまり、装置全体が動作し得る状態にある。この状態で、ＵＳＢ８にコネクタ１０ａが接続されると、データ１２からのデータがＣＰＵ１に入力され、外部よりフラッシュＲＯＭ２などの書き換えが実行される。
【００１５】
ＡＣ電源が投入されていない状態で、ＵＳＢ８に外部よりコネクタ１０ａが接続されると、コネクタ１０ａの挿着に応答して、切り替えスイッチ１１が切り替え端子ａ側に切り替えられる。この切り替えにより、外部よりの電源供給ライン１０からの電源電圧がＵＳＢ８、切り替えスイッチ１１を経て、ＣＰＵ１、フラッシュＲＯＭ２、ＲＡＭ３のみが動作可能状態となり、外部からのデータ線１２よりのデータがＵＳＢ８を経て、ＣＰＵ１に入力されると、そのデータにより、フラッシュＲＯＭ２、あるいはＲＡＭ３の書き換え等が実行される。
【００１６】
なお、上記切り替えスイッチ１１は、手動であっても良い。
【００１７】
【発明の効果】
この発明によれば、装置制御用プログラムを記憶する書き換え可能なメモリと、このメモリが記憶するプログラムにより装置を制御する制御部と、外部よりデータ及び電源を供給する外部装置接続部と、記録部と、前記外部装置接続部が接続時には、前記記録部への外部装置からの電源供給を切断する切断部とを備えているので、必要最小限の電力で書き換えができ、電源が入っていない装置でもプログラムを書き換えることができる。
【図面の簡単な説明】
【図１】この発明の一実施形態であるファクシミリ装置の要部の構成を示すブロック図である。
【符号の説明】
１　　　　　　　ＣＰＵ
２　　　　　　　フラッシュＲＯＭ
３　　　　　　　ＲＡＭ
４　　　　　　　スキャナ
５　　　　　　　プリンタ
６　　　　　　　電源部
７　　　　　　　データバス
８　　　　　　　ＵＳＢ
９、１０、１３　電源供給ライン
１１　　　　　　切り替えスイッチ
１２　　　　　　データ線
【図１】
2004038725.tif 000003